(57)【要約】【課題】  市販の遮光ネットに装着することで、煩わしい作業工程や手間を必要とせず、車両の窓枠に容易に着脱することができるとともに、不使用時の収納性を向上させることができる遮光ネット装着具を提供すること。【解決手段】  弾性変形可能な枠体と、該枠体に装着される遮光生地とからなる遮光ネットを、車両の窓枠に着脱自在に装着する遮光ネット装着具であって、該遮光ネット装着具１は、遮光ネット２０の枠体２３を挟持する一対の挟持部２，３と、挟持部２，３に設置された把持部４，５と、前記挟持部４，５に設置された、車両Ａの窓枠ａに着脱自在に装着するマグネット８とを備えることを特徴とする。  また前記挟持部２，３の少なくとも一方には、遮光ネット２０の枠体２３を挟持する溝部６と、該溝部６の両端に形成された幅広溝部７とが形成され、前記把持部４，５には、折り畳んだ遮光ネットを収容する収容部９が形成される。【選択図】図１
2017144985.tif 000002
【特許請求の範囲】
【請求項１】
弾性変形可能な枠体と、該枠体に装着される遮光生地とからなる遮光ネットを、車両の窓枠に着脱自在に装着する遮光ネット装着具であって、該遮光ネット装着具は、遮光ネットの枠体を挟持する一対の挟持部と、挟持部に設置された把持部と、前記挟持部に設置された、車両の窓枠に着脱自在に装着するマグネットとを備えることを特徴とする遮光ネット装着具。
【請求項２】
前記挟持部の少なくとも一方には、遮光ネットの枠体を挟持する溝部と、該溝部の両端に形成された幅広溝部とが形成されている請求項１記載の遮光ネット装着具。
【請求項３】
前記把持部には、折り重ねた遮光ネットを収容する収容部が形成される請求項１または２記載の遮光ネット装着具。
【請求項４】
前記マグネットは、挟持部の周縁に設置されている請求項１乃至３のいずれか一項に記載の遮光ネット装着具。
【請求項５】
前記マグネットは、挟持部の側面に設置されている請求項１乃至３のいずれか一項に記載の遮光ネット装着具。
【発明の詳細な説明】
【技術分野】
【０００１】  本発明は、車両の窓枠に設置される遮光ネットの着脱を容易にするとともに、不使用時の収納性を向上させることができる遮光ネット装着具に関する。
【背景技術】
【０００２】  従来より、車両走行中または駐車中に、車両の窓ガラスに装着することで、車内に差し込んでくる太陽光を遮光する遮光ネットが市販されている。汎用の遮光ネットは、遮光性を有するネットと、該ネットの周囲に設置される弾性変形する枠体とで構成されており、前記ネットの一部には、遮光ネットを窓ガラスに吸着する吸盤が設置されている。【０００３】  また、上記遮光ネットに関連する従来技術として、窓の大きさや窓枠の有無に関係なく、誰でも簡単に着脱できる日除け具がある（例えば特許文献１参照）。
上掲特許文献１には、日除け具２の周囲に、屈曲状の弾性変形可能な枠を設けると共に、窓ガラスに着脱自在に取り付けるべく開口紐４ｅを付設した吸盤４を取り付けたことを特徴とする。
【先行技術文献】
【特許文献】
【０００４】
【特許文献１】実用新案登録第３００１６７９号公報（実用新案登録請求の範囲等）
【発明の概要】
【発明が解決しようとする課題】
【０００５】  しかしながら、上掲特許文献１の日除け具においては、吸盤を用いて窓ガラスに装着するため、誤って窓ガラスを降ろした場合、日除け具をドアの戸袋に巻き込んでしまうという問題が生じた。また製造の際、本体の中央部分に吸盤を取り付けるために、補強板や引っ掛け部等の部材を装着しなければならず、煩わしい作業工程が必要となりコストアップも繋がった。【０００６】  そこで本発明は上記の点に鑑み、市販の遮光ネットに装着することで、煩わしい作業工程や手間を必要とせず、車両の窓枠に容易に着脱することができるとともに、不使用時の収納性を向上させることができる遮光ネット装着具を提供することにある。
【課題を解決するための手段】
【０００７】  上記課題を解決するために、弾性変形可能な枠体と、該枠体に装着される遮光生地とからなる遮光ネットを、車両の窓枠に着脱自在に装着する遮光ネット装着具であって、該遮光ネット装着具は、遮光ネットの枠体を挟持する一対の挟持部と、挟持部に設置された把持部と、前記挟持部に設置された、車両の窓枠に着脱自在に装着するマグネットとを備えることを特徴とする。【０００８】  また前記挟持部の少なくとも一方には、遮光ネットの枠体を挟持する溝部と、該溝部の両端に形成された幅広溝部とが形成されている。【０００９】  また前記把持部は、折り重ねた遮光ネットを収容する収容部が形成される。【００１０】  また、前記マグネットは挟持部の周縁に設置されている。【００１１】  さらに、前記マグネットを挟持部の側面に設置してもよい。
【発明の効果】
【００１２】  本発明の遮光ネット装着具は、遮光ネットの枠体を挟持する一対の挟持部と、挟持部に設置された把持部と、前記挟持部に設置された、車両の窓枠に着脱自在に装着するマグネットとを備えることにより、市販の遮光ネットを車両の窓枠に容易に、且つ着脱自在に装着することができる。【００１３】  また前記把持部には、折り重ねた遮光ネットを収容する収容部が形成されているため、折り畳んだ遮光ネットを収容部に収めることにより、不使用時の収納性や携帯性を向上させることができる。
【図面の簡単な説明】
【００１４】
【図１】本発明の遮光ネット装着具の展開状態の全体斜視図である。
【図２】前記遮光ネット装着具の正面図である。
【図３】前記遮光ネット装着具の展開図である。
【図４】前記遮光ネット装着具の断面図である。
【図５】遮光ネットを収容した状態の断面図である。
【図６】遮光ネット装着具を遮光ネットに装着した使用例である。
【図７】遮光ネットを収容した状態の使用例である。
【図８】本発明の遮光ネット装着具の使用状態である。
【発明を実施するための形態】
【００１５】  本発明の遮光ネット装着具は、市販の遮光ネットに装着することで、煩わしい作業工程や手間を必要とせず、車両の窓枠に容易に着脱できるとともに、不使用時の収納性を向上させることを特徴とする。
以下、本発明における遮光ネット装着具の実施の形態を図面に基づいて説明する。
【００１６】  先ず図６及び図７に基づいて、本発明の遮光ネット装着具１を装着する遮光ネット２０について説明する。図６に示す遮光ネット２０は、遮光性素材で形成された伸縮自在のネット生地２１と、ネット生地２１の周縁に配置されたステンレス等の鋼バネ２２と、鋼バネ２２を収容した枠体２３とで形成されている。
【００１７】  前記鋼バネ２２は、屈曲状に弾性変形可能な断面扁平状に形成されている。そのため、鋼バネ２２を軽く捻ることにより、図７に示すように、１／４程度の小径円形状に折り畳むことができる。
【００１８】  遮光ネット装着具１は、前記遮光ネット２０を車両の窓枠に着脱自在に装着するものであり、遮光ネット２０の枠体２３を挟持する一対の挟持部２，３と、挟持部２，３に設置された一対の把持部４，５と、前記挟持部２に設置された、車両Ａの窓枠ａに着脱自在に装着するマグネット８とを備える。
【００１９】  前記遮光ネット装着具１は、軽量であり適宜強度を有し、且つ大量生産が可能な発泡樹脂素材で形成することが好ましい。また、発泡樹脂以外でも、木製や金属の素材で形成することもできる。
【００２０】  前記挟持部２，３の少なくとも一方（図中挟持部２）には、前記遮光ネット２０の枠体２３を挟持する溝部６が形成されている。また特に、溝部６の両端には、溝部６の幅より幅広状に形成された幅広溝部７が形成されている。
【００２１】  溝部６の両端に幅広溝部７を形成したことにより、挟持部２，３で枠体２３を挟持した際、枠体２３は溝部６にて強固に挟持される一方、幅広溝部７においては遊びを有する状態で挟持される。そのため、さまざまな形状の遮光ネット２０に、本発明の遮光ネット装着具１を好適に装着させることができる。
【００２２】  また前記挟持部２，３の少なくとも一方（図中挟持部３）には凸部１０が、他方（図中挟持部４）には凹部１１が形成されている。そのため、前記凸部１０と凹部１１を嵌着することにより、挟持部２，３を容易に接合させることができる。
【００２３】  また前記把持部４，５には、図４に示すように、把持部４，５を互いに折り重ねた際に収容部９が形成される。前記収納部９は、断面楕円形状に形成されており、図５に示すように、折り畳んだ遮光ネット２０を収納部９の内部に収納させることができる。前記収納部９を形成することにより、不使用時の収納や携帯性を向上させることができる。
【００２４】  マグネット８は、挟持部４，５の周縁に設置されている。挟持部４，５の周縁にマグネット８を装着することで、図８に示すように、遮光ネット装着具１を車両Ａの窓枠ａに容易に着脱させることができる。
【００２５】  また前記マグネット８は、図２に示すように、挟持部４，５の側面に設置してもよい。マグネット８を挟持部４，５の側面に設置することにより、さまざまな窓枠ａの構造や形状であっても、遮光ネット装着具１を確実に装着させることができる。
【００２６】  上述の構成により、市販の遮光ネットに装着することで、煩わしい作業工程や手間を必要とせず、車両の窓枠に容易に着脱することができるとともに、不使用時の収納性を向上させることができる。
【符号の説明】
【００２７】１    遮光ネット装着具
２    挟持部
３    挟持部
４    把持部
５    把持部
６    溝部
７    幅広溝部
８    マグネット
９    収納部
１０  凸
１１  凹
２０  遮光ネット
２１  ネット生地
２２  鋼バネ
２３  枠体
Ａ    車両
ａ    窓枠
【図１】
2017144985.tif 000003
【図２】
2017144985.tif 000004
【図３】
2017144985.tif 000005
【図４】
2017144985.tif 000006
【図５】
2017144985.tif 000007
【図６】
2017144985.tif 000008
【図７】
2017144985.tif 000009
【図８】
2017144985.tif 000010